(57)【特許請求の範囲】
【請求項１】
算盤珠を軸で連ねることにより形成された算盤であって、
算盤珠が軸にそって回転することを防止する機構を備え、
全ての算盤珠に算盤の操作面から見て算盤珠の右側部分及び左側部分に誤操作防止用突起を備えた誤操作防止算盤。
【請求項２】
算盤珠を軸で連ねることにより形成された算盤であって、
算盤珠が軸にそって回転することを防止する機構を備え、
全ての算盤珠に算盤の操作面から見て算盤珠の上側部分及び下側部分に算盤珠操作改善用突起を設け、
全ての算盤珠に算盤の操作面から見て算盤珠の右側部分、左側部分に誤操作防止用突起を設けることで算盤の操作面に誤操作防止用突起が整列するよう構成した誤操作防止算盤。
【請求項３】
請求項２に記載の誤操作防止算盤であって、
算盤珠が軸にそって回転することを防止する機構として算盤の軸に加えてさらに回転防止用芯で算盤珠を貫く軸であることを特徴とした誤操作防止算盤。
【請求項４】
請求項２、３に記載の誤操作防止算盤であって、
全ての算盤珠に、算盤珠の上部を除く領域を円柱状または楕円柱状または角柱状に肉付 けした誤操作防止算盤。
【発明の詳細な説明】
【技術分野】
【０００１】
本発明は、操作ミスを防止することが可能な算盤に関するものである。
【背景技術】
【０００２】
近年、計算能力の向上といった算盤のもつ効用が見直されつつあり、多くの人が再び算盤を学習している。この算盤の操作において、もっとも犯しがちなミスは、操作しようと意図していた珠に隣接する左右の珠をも合わせて誤操作してしまうことである。
【０００３】
この誤操作を軽減すべく様々な研究がなされており、例えば運珠の際、指の傾斜方向の隣の算盤珠に干渉する傾向があり、その方向の算盤の座高を低くすれば操作性が向上するとの観点から、座高が上（かみ）から下（しも）に至って、傾斜した算盤などが知られている（例えば、特許文献１を参照。）。また、算盤珠の回転を抑制することで、結果として誤操作を低減させる機構も知られている（例えば特許文献２を参照）。
【先行技術文献】
【特許文献】
【０００４】
【特許文献１】実公昭３９−０３３３２９号公報
【特許文献２】実開昭５０−０１２８４４号公報
【非特許文献】
【０００５】
【非特許文献１】株式会社雲州堂ホームページ  http://www.unshudo.co.jp/story/collection/2009/02/008.html（平成２６年６月２８日確認）
【発明の概要】
【発明が解決しようとする課題】
【０００６】
しかしながら、いかに傾斜をつけた算盤を用いようとも、また算盤珠の回転が抑制された算盤を用いようとも、操作者の算盤操作技術の習熟度合いによっては、操作しようとする算盤珠に隣接する算盤珠をも誤操作してしまうことは避けられなかった。誤動作に気がついた場合は、その時点で修正操作を行うことが可能であるものの、演算時間が増大してしまうことは避けられない。誤動作に気がつかない場合は演算結果に誤りが含まれてしまう為、さらに多大な不利益が発生する。
【０００７】
そこで本発明は、同時に二つの算盤珠を操作してしまうことによる誤算や演算時間が長引くという問題を根本的に解決する算盤を提供することを目的とする。
【課題を解決するための手段】
【０００８】
本発明の誤操作防止算盤は、算盤珠の一部を加工することで隣の算盤珠への干渉を抑制し、かつ算盤珠の回転を防止する機構を有することを特徴とする。
【０００９】
本発明の誤操作防止算盤は、算盤珠と隣の算盤珠の間にストッパーを有することを特徴とする。
【発明の効果】
【００１０】
本発明によれば、算盤珠の回転を防止する機構によって算盤珠を加工した部分が算盤の操作面に並ぶことにより指との接触領域を限定せしめ、その結果として指が隣の算盤珠に干渉することを防ぐ効果を常に発揮する算盤を提供することができる。
【００１１】
本発明によれば、算盤珠と隣の算盤珠の間にストッパーを有することによって、操作すべき算盤珠と隣接する算盤珠の区別を操作者が容易に指で認識可能な算盤を提供することができる。
【図面の簡単な説明】
【００１２】
【図１】指頭が隣の算盤珠に干渉した状態を示す図。
【図２】算盤珠の一部分を除する状態の一例を示す図。
【図３】回転防止用芯６を配置した状態を示す図。
【図４】指頭が算盤珠の一部分を除した隣の算盤珠に、干渉するのが防止されている状態を示す図。
【図５】算盤珠に算盤珠操作改善用突起と誤操作防止用突起を設けた一例の図。
【図６】誤操作防止用突起によって、指頭が隣の算盤珠に干渉するのが防止されている状態を示す図。
【図７】肉付けを八角柱や回転楕円体、円柱となるよう施した状態を示す図。
【図８】算盤珠の操作面に凹部を設けた一例の図。
【図９】凹部によって、指頭が隣の算盤珠に干渉するのが防止されている状態を示す図。
【図１０】肉付けを八角柱や回転楕円体、円柱となるよう施した状態を示す図。
【図１１】算盤珠の近傍に、ストッパーを設けた一例の図。
【図１２】ストッパーによって、指頭が隣の算盤珠に干渉するのが防止されている状態を示す図。
【発明を実施するための形態】
【００１３】
以下、本発明をさらに詳しく説明する。
従来の算盤は、図１に示すがごとく、算盤珠と算盤珠が近い位置にて整列している為に、指を操作すべき算盤珠に接触させようとしても、誤って左右に隣接する算盤珠に接触してしまうことがあった。この場合、意図しない算盤珠の操作、すなわち誤操作が発生してしまう。
【００１４】
誤操作を防ぐには、算盤珠に指をあてた場合、指が算盤珠に安定するよう算盤珠の形状を工夫すればよい。さらに、当該形状が常に算盤の上面（指で操作する面）を向くように工夫することで、常に安定して特定の算盤珠を指で操作することが可能になる。
【００１５】
もうひとつのアプローチは、指がある算盤珠とその両隣の算盤珠を容易に認識可能となるよう、算盤の形状を工夫することである。
【００１６】
次に参考例及び実施例により本発明をさらに詳細に説明するが、本発明は以下に示す実施例に限定されるものではない。
【００１７】
参考例
算盤珠２の操作面にあたる部分を図２の除去部分４に示すように除去する。すなわち、算盤珠を軸３方向から見て、時計の１時から２時、そして１０時から１１時に相当する部分を除去する。この構成を採用することで、算盤珠２の指１に接する領域が通常の算盤珠２よりも限定される。ただ、通常の算盤珠２は、軸３で連結されているが、軸を中心に回転自由となっており、そのままでは除去部分４を算盤の一定の領域に安定させることはできない。
【００１８】
そこで、図３に示すとおり、通常の軸３に加えて、回転防止用芯６を珠を貫通するように軸３に平行に配置することにより、除去した算盤珠５が回転することを防止する。さらに回転防止用芯６を囲むように、除去した算盤珠５の肉付けを行うことで、回転防止用芯６や軸３を通した算盤珠を繰り返し利用しても十分な耐久度を備えることができる。肉付けは、軸３を超えたあたりまで行えば十分その効果を発揮することが可能である。この肉付けは底面から見て四角形となるよう、すなわち算盤珠を四角柱状となるよう構成するとなおよい。加工が容易である為である。
【００１９】
その結果、図４に示すとおり、操作を意図した除去した算盤珠５に隣接する除去した算盤珠５と指の間にスペース７が存在することにより、指が意図しない除去した算盤珠５に接触してしまう可能性を著しく減少させることができる。さらに、回転防止用芯６の存在によって除去した算盤珠５が回転することがないので、常に操作面に凸型の形状が並ぶことにより、上記効果を恒久的に発揮することが可能である。
【００２０】
実施例１
参考例と同様に、回転防止用芯６を囲むように除去した算盤珠５の肉付けを行う。こうすることで、回転防止用芯６や軸３を通した除去した算盤珠５を繰り返し利用しても十分な耐久度を備えることができる。肉付けは、軸３を超えたあたりまで行えば十分その効果を発揮することが可能である。この肉付けは底面から見て四角形となる整形する。そして肉付けを行わない箇所は除去することにより、算盤珠を四角柱状となるよう整形する。なお、大量生産を行う際は最初から四角柱を用いて生産することとしてもよい。
【００２１】
そして算盤珠の上部に、図５に示すとおり算盤の上から見て上下左右に突起を肉付けする。このうち、左右に設置した突起を誤操作防止用突起９と呼称し、上下に設置した突起を算盤珠操作改善用突起８と呼称することとする。その結果、算盤を上から見て、操作者に近い側から、算盤珠操作改善用突起８、算盤珠の上部、算盤珠操作改善用突起８という構成となる。左右方向では、誤操作防止用突起９、算盤珠の上部、誤操作防止用突起９という構成となる。
【００２２】
その結果、図６に示すとおり、操作者からみて近い側や遠い側の算盤珠操作改善用突起８に指をひっかけることで、操作を意図した突起付き算盤珠１０をしっかりと操作することが可能となり、突起付き算盤珠１０を容易に上下に弾くことが可能となる。また、誤操作防止用突起９の存在により、指と操作を意図した突起付き算盤珠１０の接触状態を安定させることが可能となり、隣の桁に属する突起付き算盤珠１０を誤って操作する虞がなくなる。さらに、回転防止用芯６の存在により突起付き算盤珠１０が回転することがないので、常に操作面に算盤珠操作改善用突起８や誤操作防止用突起９が並ぶことにより、上記効果を恒久的に発揮することが可能である。
【００２３】
実施例１の八角柱を用いる変形例
算盤珠への肉付けを八角柱となるよう図７のＡに記載のごとく構成する。そして、八角柱の八角形となる底面を下となるよう、すなわち側面を軸３で貫くことにより算盤を構成する。この構成を採用することで、算盤の状態を初期化する動作である「ご破算」を行う際に、指を滑らかに算盤珠間を移動させることが可能となる。なお、大量生産をおこなう場合は、双円錐台状の算盤珠に肉付けを行うのではなく、最初から八角柱を用いて生産することとしてもよい。
【００２４】
実施例１の楕円を用いる変形例
図７のＢに示すとおり、上記肉付けを底面から見て楕円（隣の桁に向かって長辺、同じ桁の珠に向かって短辺となる楕円。）、すなわち算盤珠を楕円柱となるよう構成しても同様に容易にご破算を行うことが可能である。なお、大量生産を行う場合は、最初から楕円柱を用いて生産することとしてもよい。
【００２５】
実施例１の円柱を用いる変形例
図７のＣに示すとおり、上記肉付けを底面から見て円、すなわち算盤珠を円柱となるよう構成しても同様に容易にご破算を行うことが可能である。なお、大量生産を行う場合は、最初から円柱を用いて生産することとしてもよい。
【００２６】
実施例２
実施例１と同様に、回転防止用芯６を囲むように算盤珠の肉付けを行う。こうすることで、回転防止用芯６や軸３を通した算盤珠を繰り返し利用しても十分な耐久度を備えることができる。ただし、実施例１とは異なり肉付けを算盤珠を完全に覆うまで行い、完全な四角柱となす。なお、大量生産をおこなう場合は最初から四角柱を用いて生産することとしてもよい。
【００２７】
そして側面を軸３で貫くことにより算盤を構成する。さらに、回転防止用芯６を軸３に平行となるように側面を貫くことにより、算盤珠が回転することを防止する。
【００２８】
そして、算盤珠の操作面にあたる部分が、図８に示すとおり、凹型となるよう除去する。凹部１１は、くぼんでいるのであればどのような形状でもかまわないが、回転楕円体が最も望ましい。指頭ときれいにフィットするからである。
【００２９】
その結果、図９に示すとおり、操作を意図した凹型算盤珠１２に指を接触させると、凸型の指と凹型の凹型算盤珠１２がしっかりとかみあうことで、指と操作を意図した算盤珠９の接触状態を極めて安定させることが可能となる。これは、通常の算盤珠が双円錐台となっていることから、凸型である指とは互いに点と点でしか接触することができずに不安定となることと対照的である。さらに、回転防止用芯６の存在により凹型算盤珠１２が回転することがないので、常に操作面に凹型算盤珠１２の凹部１１が並ぶことにより、上記効果を恒久的に発揮することが可能である。
【００３０】
実施例２の八角柱を用いる変形例
算盤珠への肉付けを八角柱となるよう図１０のＡに記載のごとく構成する。そして、八角柱の八角形となる底面が下となるよう、すなわち側面を軸３で貫くことにより算盤を構成する。この構成を採用することで、算盤の状態を初期化する動作である「ご破算」を行う際に、指を滑らかに算盤珠間を移動させることが可能となる。なお、大量生産をおこなう場合は、双円錐台状の算盤珠に肉付けを行うのではなく、最初から八角柱を用いて生産することとしてもよい。
【００３１】
実施例２の楕円を用いる変形例
図１０のＢに示すとおり、上記肉付けを底面から見て楕円（隣の桁に向かって長辺、同じ桁の珠に向かって短辺となる楕円。）、すなわち算盤珠を楕円柱となるよう構成しても同様に容易にご破算を行うことが可能である。なお、大量生産を行う場合は、最初から楕円柱を用いて生産することとしてもよい。
【００３２】
実施例２の円柱を用いる変形例
図１０のＣに示すとおり、上記肉付けを底面から見て円、すなわち算盤珠を円柱となるよう構成しても同様に容易にご破算を行うことが可能である。なお、大量生産を行う場合は、最初から円柱を用いて生産することとしてもよい。
【００３３】
参考例及び実施例１、２の回転防止用芯６を用いない変形例１
参考例及び実施例１、２において、回転防止用芯６を軸３に平行となるよう貫くことで算盤珠の回転を防止していたが、回転防止用芯６を用いずに、軸３を角柱とし、算盤珠の軸に接する面も平面で構成する。この構成を採用することにより、軸と算盤珠がしっかりと噛み合い、算盤珠の回転が防止される。
【００３４】
参考例及び実施例１、２の回転防止用芯６を用いない変形例２
参考例及び実施例１、２において、回転防止用芯６を軸３に平行となるよう貫くことで算盤珠の回転を防止していたが、軸３を歯車型とし、算盤珠の軸に接する面もこれに噛み合うよう構成する。この構成を採用することにより、軸と算盤珠がしっかりと噛み合い、算盤珠の回転が防止される。
【００３５】
参考例及び実施例１、２の回転防止用芯６を用いない変形例３
参考例及び実施例１、２において、回転防止用芯６を軸３に平行となるよう貫くことで算盤珠の回転を防止していたが、算盤の底面に板を配置する。この構成を採用することにより、算盤珠底面の平面部分と板が衝突することによって、算盤珠の回転が防止される。
【００３６】
実施例３
算盤は、軸を用いて算盤珠２を複数個連結した「桁」を、算盤の枠１４に並べて固定することで作られている。本実施例では、図１１に示すとおり、桁と桁の間にストッパー１３を軸に平行に設置して枠に固定する。
【００３７】
ストッパー１３を設置することで、意図した算盤珠からずれようとした場合、ストッパー１３によって自らの指が意図しない珠に接近していることを容易に認識することが可能である。その結果、図１１に示すとおり、操作を意図した算盤珠２に指を接触させると、指がストッパー１３と接触することによって、意図しない算盤珠に接触する虞がない。
【００３８】
ストッパー１３は、天（１つの珠が設置されているところ）には図１１に示すとおり、上部にのみ設置し、地（４つの珠が設置されているところ）は全体にわたって設置する。こうすることで、地については隣接する算盤珠への誤操作を防止しつつ、算盤をご破算するときに、極めてスムーズに天に属する珠を操作することが可能となる。
【００３９】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４０】
以上、本発明の実施形態について説明したが、本発明の実施形態の一部または全部は、以下の付記のように記載される。
（付記１）
算盤珠を軸で連ねることにより形成された算盤であって、
算盤珠が軸にそって回転することを防止する機構を備え、
全ての算盤珠に算盤の操作面から見て算盤珠の右側部分及び左側部分に誤操作防止用突起を備えた誤操作防止算盤。
（付記２）
算盤珠を軸で連ねることにより形成された算盤であって、
算盤珠が軸にそって回転することを防止する機構を備え、
全ての算盤珠に算盤の操作面から見て算盤珠の上側部分及び下側部分に算盤珠操作改善用突起を設け、
全ての算盤珠に算盤の操作面から見て算盤珠の右側部分、左側部分に誤操作防止用突起を設けることで算盤の操作面に誤操作防止用突起が整列するよう構成した誤操作防止算盤。
（付記３）
付記２に記載の誤操作防止算盤であって、
算盤珠が軸にそって回転することを防止する機構として算盤の軸に加えてさらに回転防止用芯で算盤珠を貫く軸であることを特徴とした誤操作防止算盤。
（付記４）
付記２、３に記載の誤操作防止算盤であって、
算盤珠の上部を除く領域を円柱状または楕円柱状または角柱状に肉付けした誤操作防止算盤。
（付記５）  
角柱または楕円柱または円柱を算盤珠とし、
当該算盤珠の側面を軸で貫くことにより構成した算盤であって、
算盤珠が軸にそって回転することを防止する機構を備え、
全ての算盤珠について算盤の操作面にあたる部分を凹型となるよう除去した誤操作防止算盤。
【符号の説明】
【００４１】
１  指
２  算盤珠
３  軸
４  除去部分
５  除去した算盤珠
６  回転防止用芯
７  スペース
８  算盤珠操作改善用突起
９  誤操作防止用突起
１０  突起付き算盤珠
１１  凹部
１２  凹型算盤珠
１３  ストッパー
１４  算盤の枠
【要約】      （修正有）【課題】算盤の運珠の際、指頭が逸れて隣の算盤珠に干渉し、同時に二つの算盤珠を操作してしまい誤算や演算時間が長引くことのない算盤を提供する。【解決手段】算盤であって、突起付き算盤珠１０と回転防止用芯６とにより算盤珠の回転を防止するとともに、算盤珠と算盤珠の間に指の動きを阻害する誤操作防止用突起９を設ける。【選択図】図５【図１】
0005702501.tif 000002
【図２】
0005702501.tif 000003
【図３】
0005702501.tif 000004
【図４】
0005702501.tif 000005
【図５】
0005702501.tif 000006
【図６】
0005702501.tif 000007
【図７】
0005702501.tif 000008
【図８】
0005702501.tif 000009
【図９】
0005702501.tif 000010
【図１０】
0005702501.tif 000011
【図１１】
0005702501.tif 000012
【図１２】
0005702501.tif 000013